(57)【要約】      （修正有）【課題】電極が巻回される電極体を収容するケースの内部のエネルギー密度の高い蓄電素子の提供。【解決手段】電極が巻回される電極体と、一対の第一の壁部、及び第一の壁部の対向する端部同士を接続し且つ穴が設けられた第二の壁部３２を有し、一対の第一の壁部と第二の壁部３２とに周面を向けた状態の電極体を収容するケース３１と、穴３２２を通じてケース３１の外部と内部とに跨って配置される導電性部材４とを備え、導電性部材４は、少なくとも一部がケース３１の外部に露出すると共に、電極体の巻回中心軸Ｃ方向の端部と接続され、導電性部材４と、第二の壁部３２の内面位置において広がる仮想平面との交差位置４２１０は、巻回中心軸Ｃ方向から見て第二の壁部３２の中心ｃからずれている蓄電素子。【選択図】図６
2018045903.tif 000002
【特許請求の範囲】
【請求項１】
電極が巻回される電極体と、
対向する一対の第一の壁部、及び前記一対の第一の壁部の対向する端部同士を接続し且つ厚さ方向に貫通する穴が設けられた第二の壁部を有し、前記一対の第一の壁部のそれぞれと前記第二の壁部とに周面を向けた状態で前記電極体を収容するケースと、
前記穴を通じて前記ケースの外部と内部とに跨って配置される導電性部材とを備え、
前記導電性部材は、外部に露出する外部端子部と、前記外部端子部から延び且つ前記電極体の巻回中心軸方向の端部と接続される集電体部と、を有し、
前記導電性部材と、前記第二の壁部の内面位置において広がる仮想平面と、の交差位置は、前記電極体の巻回中心軸方向から見て前記第二の壁部の中心からずれている、蓄電素子。
【請求項２】
前記第二の壁部の穴は、巻回中心軸方向から見て、該第二の壁部の中心から、前記交差位置の側にずれている、請求項１に記載の蓄電素子。
【請求項３】
前記導電性部材と、前記第二の壁部において前記穴を画定する穴周縁部との間を塞ぐ絶縁部材を備え、
前記絶縁部材における前記電極体と対向する部位は、前記仮想平面と一致若しくは前記仮想平面より外側である、請求項１又は２に記載の蓄電素子。
【請求項４】
前記外部端子部と前記集電体部とは、一体である、請求項３に記載の蓄電素子。
【請求項５】
前記絶縁部材は、前記集電体部の表面を被覆する、請求項３又は４に記載の蓄電素子。
【請求項６】
前記第二の壁部において、前記穴を規定する穴周縁部は、該穴周縁部の周りの部位より外側に突出し、
前記導電性部材は、前記ケースの外部に露出する第一部位、及び前記第一部位から前記穴を通じて前記ケースの内部に延びる第二部位を有する外部端子と、前記ケースの内部において前記第二部位と前記電極体とを接続する集電体と、を有し、
前記外部端子と前記集電体とは、別部材であり、
前記第二部位の先端は、前記第二の壁部における前記周りの部位の内面位置である前記仮想平面より外側に位置する、請求項１に記載の蓄電素子。
【発明の詳細な説明】
【技術分野】
【０００１】
本発明は、巻回型の電極体と該電極体を収容するケースとを備える蓄電素子に関する。
【背景技術】
【０００２】
従来から、電極体と、前記電極体を電解質とともに収納する電池ケースと、を備える電池が知られている（特許文献１参照）。具体的に、前記電池は、前記電極体と、前記電池ケースと、前記電池ケースの開口部を閉塞する蓋体と、を備える。前記蓋体は、金属板から形成される本体部と、前記電極体に接続される電極端子と、本体部と電極端子との間に配置される絶縁密封部材と、を備える。前記本体部は、前記電池ケースの開口部に概ね対応する外形（矩形状の外形）をもち、前記開口部に嵌め込まれた状態で前記電池ケースに接合される。前記電極端子は、前記電池ケースに収納されている電極体の正負極に接続されており、正極に接続されている正極側の電極端子と、負極に接続されている負極側の電極端子と、からなる一組の部材である。前記絶縁密封部材は、前記本体部と前記電極端子との間に充填・形成されている。前記絶縁密封部材は、前記一組の電極端子の間を絶縁すると共に前記電極端子及び前記本体部に密着することで前記電池ケースの内部を密閉状態とする。
【０００３】
この電池では、前記一組の電極端子のそれぞれが、幅方向（短手方向）の中央位置において前記本体部を貫通し、前記一組の電極端子のそれぞれの端部が、前記本体部の内面（前記電池ケースの内部を向いた面）から前記電池ケースの内部側へ突出している。このため、前記電池では、前記電極体の本体部側の端部と前記本体部の内面との間に、前記本体部の内面から突出している前記一組の電極端子のそれぞれの端部が前記電極体と当接しない程度の間隔（空間）を設ける必要があり、前記電極体の本体部側の端部が前記本体部の内面と近接している、即ち、前記電池ケース内が前記電極体で満たされている場合に比べ、該電池ケースの内部のエネルギー密度が低くなっている。
【先行技術文献】
【特許文献】
【０００４】
【特許文献１】特許第４９１８９９６号公報
【発明の概要】
【発明が解決しようとする課題】
【０００５】
そこで、本実施形態は、電極が巻回される電極体を収容するケースの内部のエネルギー密度の高い蓄電素子を提供することを目的とする。
【課題を解決するための手段】
【０００６】
本実施形態の蓄電素子は、
電極が巻回される電極体と、
対向する一対の第一の壁部、及び前記一対の第一の壁部の対向する端部同士を接続し且つ厚さ方向に貫通する穴が設けられた第二の壁部を有し、前記一対の第一の壁部のそれぞれと前記第二の壁部とに周面を向けた状態で前記電極体を収容するケースと、
前記穴を通じて前記ケースの外部と内部とに跨って配置される導電性部材とを備え、
前記導電性部材は、外部に露出する外部端子部と、前記外部端子部から延び且つ前記電極体の巻回中心軸方向の端部と接続される集電体部と、を有し、
前記導電性部材と、前記第二の壁部の内面位置において広がる仮想平面と、の交差位置は、前記電極体の巻回中心軸方向から見て前記第二の壁部の中心からずれている。
【０００７】
このように、導電性部材の仮想平面との交差位置を巻回中心軸方向から見て第二の壁部の中心からずらすことで、電極体における電極が湾曲した状態で積層されている湾曲部位の仮想平面側の頂部が仮想平面に一致するように（例えば、図６参照）電極体がケース内に配置されても、湾曲部位とケースの角部（第一の壁部と第二の壁部とによって構成される角部）との間に生じる隙間を通じて、電極体の巻回中心軸方向の端部まで集電体部を延ばす（配置する）ことができる。このため、前記蓄電素子では、より大きな（湾曲部位の前記頂部が仮想平面と一致する大きさの）電極体をケース内に収容することができ、これにより、ケースの内部のエネルギー密度を高くすることができる。
【０００８】
前記蓄電素子では、
前記第二の壁部の穴は、巻回中心軸方向から見て、該第二の壁部の中心から、前記交差位置の側にずれていてもよい。
【０００９】
このように第二の壁部において穴を中心から前記交差位置の側にずらすことで、電極体の湾曲部位の仮想平面側の頂部を仮想平面に一致させたときに、湾曲部位とケースの角部との間に生じる隙間に導電性部材をより案内し易くなる。
【００１０】
また、前記蓄電素子では、
前記導電性部材と、前記第二の壁部において前記穴を画定する穴周縁部との間を塞ぐ絶縁部材を備え、
前記絶縁部材における前記電極体と対向する部位は、前記仮想平面と一致若しくは前記仮想平面より外側であってもよい。
【００１１】
かかる構成によれば、導電性部材と第二の壁部の間の絶縁性と、導電性部材と第二の壁部との間の密閉性とが確保される。しかも、絶縁部材において電極体と対向する部位が仮想平面と一致若しくは仮想平面より外側であるため、絶縁部材に邪魔されることなく、湾曲部位の前記頂部が仮想平面と一致するように電極体をケース内に配置することができる。
【００１２】
前記外部端子部と前記集電体部とは、一体であってもよい。
【００１３】
かかる構成によれば、インサート成形等によって導電性部材と絶縁部材とを一体化させ易くなり、これにより、部品点数を減らすと共に構成の簡素化を図ることができる。
【００１４】
また、前記蓄電素子では、
前記絶縁部材は、前記集電体部の表面を被覆してもよい。
【００１５】
かかる構成によれば、電極体の湾曲部位と集電体部との間の絶縁が図られ、これにより、集電体部と電極体との間の電流の通電経路を、集電体部と電極体との接合部位のみに規制することができる。
【００１６】
前記蓄電素子では、
前記第二の壁部において、前記穴を規定する穴周縁部は、該穴周縁部の周りの部位より外側に突出し、
前記導電性部材は、前記ケースの外部に露出する第一部位、及び前記第一部位から前記穴を通じて前記ケースの内部に延びる第二部位を有する外部端子と、前記ケースの内部において前記第二部位と前記電極体とを接続する集電体と、を有し、
前記外部端子と前記集電体とは、別部材であり、
前記第二部位の先端は、前記第二の壁部における前記周りの部位の内面位置である前記仮想平面より外側に位置してもよい。
【００１７】
このように、導電性部材におけるケースの外部に露出する部位（外部端子）と、ケースの内部に配置される部位（集電体）とが別部材であっても、第二の壁部において穴周縁部を外側に突出させ、且つ集電体と接続される外部端子の第二部位をこの突出している部位内に納める（即ち、第二部位の先端を仮想平面より外側に位置させる）ことで、電極体の湾曲部位の前記頂部を仮想平面（前記周りの部位の内面位置）又はその近傍まで接近させることができる。これにより、蓄電素子において、ケースの内部のエネルギー密度を高くすることができる。
【００１８】
前記電極体の前記第二の壁部側の端は、前記仮想平面と同じ位置であってもよい。
【００１９】
このように電極体の第二の壁部側の端が仮想平面と同じ位置となる大きさの電極体がケースの内部に収容されることで、前記端が仮想平面よりケースの内部側に位置する蓄電素子に比べ、ケースの内部のエネルギー密度が高くなる。
【００２０】
前記電極体の第二の壁部側の端は、前記仮想平面より外側に位置し、
前記第二の壁部は、該第二の壁部の内面における前記電極体の前記端と対応する位置に、ケースの外側に向けて凹む凹部を有してもよい。
【００２１】
かかる構成によれば、第二の壁部側の端が仮想平面と同じ位置となる大きさの電極体より大きな電極体がケースの内部に収容されているため、ケースの内部のエネルギー密度がより高くなる。
【発明の効果】
【００２２】
以上より、本実施形態によれば、電極が巻回される電極体を収容するケースの内部のエネルギー密度の高い蓄電素子を提供することができる。
【図面の簡単な説明】
【００２３】
【図１】図１は、本実施形態に係る蓄電素子の斜視図である。
【図２】図２は、図１のＩＩ−ＩＩ位置における断面図である。
【図３】図３は、前記蓄電素子の分解斜視図である。
【図４】図４は、前記蓄電素子の蓋板に電極体が組み付けられた状態の斜視図である。
【図５】図５は、前記電極体を説明するための斜視図である。
【図６】図６は、図２における蓋板周辺の拡大図である。
【図７】図７は、他実施形態に係る導電性部材を説明するための図である。
【図８】図８は、他実施形態に係る蓄電素子の蓋板周辺の拡大断面図である。
【図９】図９は、他実施形態に係る蓄電素子の蓋板周辺の拡大断面図である。
【図１０】図１０は、他実施形態に係る蓄電素子の蓋板周辺の拡大断面図である。
【図１１】図１１は、他実施形態に係る蓄電素子の蓋板周辺の拡大断面図である。
【図１２】図１２は、本実施形態に係る蓄電素子を含む蓄電装置の斜視図である。
【発明を実施するための形態】
【００２４】
以下、本発明に係る蓄電素子の一実施形態について、図１〜図６を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００２５】
本実施形態の蓄電素子は、非水電解質二次電池である。より詳しくは、蓄電素子は、リチウムイオンの移動に伴って生じる電子移動を利用したリチウムイオン二次電池である。この種の蓄電素子は、電気エネルギーを供給する。蓄電素子は、単一又は複数で使用される。具体的に、蓄電素子は、要求される出力及び要求される電圧が小さいときには、単一で使用される。一方、蓄電素子は、要求される出力及び要求される電圧の少なくとも一方が大きいときには、他の蓄電素子と組み合わされて蓄電装置に用いられる。前記蓄電装置では、該蓄電装置に用いられる蓄電素子が電気エネルギーを供給する。
【００２６】
蓄電素子は、図１〜図５に示すように、電極２３、２４が巻回される電極体２と、貫通穴（穴）３２２が設けられ且つ電極体２を収容するケース３と、貫通穴３２２を通じてケース３の外部と内部とに跨って配置される導電性部材４と、を備える。また、蓄電素子１は、ケース３と導電性部材４との間を絶縁する第一絶縁部材（絶縁部材）５と、電極体２とケース３との間を絶縁する第二絶縁部材６等も備える。
【００２７】
電極体２は、積層された状態で巻回される電極（正極２３及び負極２４）を有する。具体的に、電極体２は、巻芯２１と、正極２３と負極２４とが互いに絶縁された状態で積層された積層体２２であって、巻芯２１の周囲に巻回された積層体２２と、を備える（図２、図３及び図５参照）。本実施形態の電極体２は、電極２３、２４が湾曲した状態で積層されている湾曲部位２０１と、電極２３、２４が平らな状態で積層された平坦部位２０２と、を有する。具体的に、電極体２は、対向する一対の平坦部位２０２と、平坦部位２０２の対向する端部同士を繋ぐ一対の湾曲部位２０１と、を有し、電極体２の巻回中心軸Ｃ方向から見てレーストラック形状である（図２参照）。この電極体２においてリチウムイオンが正極２３と負極２４との間を移動することにより、蓄電素子１が充放電する。
【００２８】
巻芯２１は、通常、絶縁材料によって形成される。本実施形態の巻芯２１は、筒状、より詳しくは、偏平な筒状である。この巻芯２１は、可撓性又は熱可塑性を有するシートを巻回することによって形成される。本実施形態の前記シートは、合成樹脂によって形成されている。
【００２９】
正極２３は、帯状の金属箔２３１と、金属箔２３１に重ねられる正極活物質層２３２と、を有する。この正極活物質層２３２は、金属箔２３１における幅方向の一方の端縁部（非被覆部）を露出させた状態で、該金属箔２３１に重ねられている。本実施形態の金属箔２３１は、例えば、アルミニウム箔である。
【００３０】
負極２４は、帯状の金属箔２４１と、金属箔２４１に重ねられる負極活物質層２４２と、を有する。この負極活物質層２４２は、金属箔２４１における幅方向の他方（正極２３の金属箔２３１の非被覆部と反対側）の端縁部（非被覆部）を露出させた状態で、該金属箔２４１に重ねられている。本実施形態の金属箔２４１は、例えば、銅箔である。
【００３１】
本実施形態の電極体２では、以上のように構成される正極２３と負極２４とがセパレータ２５によって絶縁された状態で巻回される。即ち、本実施形態の電極体２では、正極２３、負極２４、及びセパレータ２５の積層体２２が巻回されている。
【００３２】
セパレータ２５は、絶縁性を有する部材であり、正極２３と負極２４との間に配置される。これにより、電極体２（詳しくは、積層体２２）において、正極２３と負極２４とが互いに絶縁される。また、セパレータ２５は、ケース３内において、電解液を保持する。これにより、蓄電素子１の充放電時において、セパレータ２５を挟んで交互に積層される正極２３と負極２４との間を、リチウムイオンが移動可能となる。
【００３３】
このセパレータ２５は、帯状であり、例えば、ポリエチレン、ポリプロピレン、セルロース、ポリアミドなどの多孔質膜によって構成される。本実施形態のセパレータ２５は、ＳｉＯ２粒子、Ａｌ２Ｏ３粒子、ベーマイト（アルミナ水和物）等の無機粒子を含んだ無機層を、多孔質膜によって形成された基材の上に設けることで形成されている。本実施形態のセパレータ２５の基材は、例えば、ポリエチレンによって形成される。
【００３４】
セパレータ２５の幅方向の寸法は、負極活物質層２４２の幅より大きい。セパレータ２５は、正極活物質層２３２と負極活物質層２４２とが厚さ方向（積層方向）に重なるように幅方向に位置ずれした状態で重ね合わされた正極２３と負極２４との間に配置される。このとき、正極２３の非被覆部と、負極２４の非被覆部とは重なっていない。即ち、正極２３の非被覆部が、正極２３と負極２４との重なる領域から幅方向（積層方向と直交する方向）に突出し、且つ、負極２４の非被覆部が、正極２３と負極２４との重なる領域から幅方向（正極２３の非被覆部の突出方向と反対の方向）に突出する。このような状態で積層された正極２３、負極２４、及びセパレータ２５（即ち、積層体２２）が巻回されることによって、電極体２が形成される。また、本実施形態の電極体２では、正極２３の非被覆部又は負極２４の非被覆部のみが積層された部位によって、電極体２における非被覆積層部２６が構成される。
【００３５】
非被覆積層部２６は、電極体２における導電性部材４と導通される部位である。この非被覆積層部２６は、電極体２の各極に設けられる。即ち、正極２３の非被覆部のみが積層された非被覆積層部２６が電極体２における正極の非被覆積層部を構成し、負極２４の非被覆部のみが積層された非被覆積層部２６が電極体２における負極の非被覆積層部を構成する。
【００３６】
ケース３は、対向する一対の長壁部（第一の壁部）３１３と、一対の長壁部３１３の対向する端部同士を接続し且つ厚さ方向に貫通する貫通穴３２２が設けられた蓋板（第二の壁部）３２と、を有する。具体的には、以下の通りである。
【００３７】
ケース３は、開口を有するケース本体３１と、ケース本体３１の開口を塞ぐ（閉じる）蓋板３２と、を有する。ケース３は、電極体２等と共に、電解液を内部空間３３（図２参照）に収容する。ケース３は、電解液に耐性を有する金属によって形成される。本実施形態のケース３は、例えば、アルミニウム、又は、アルミニウム合金等のアルミニウム系金属材料によって形成される。
【００３８】
電解液は、非水溶液系電解液である。電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ４、ＬｉＢＦ４、及びＬｉＰＦ６等である。本実施形態の電解液は、プロピレンカーボネート、ジメチルカーボネート、及びエチルメチルカーボネートを、プロピレンカーボネート：ジメチルカーボネート：エチルメチルカーボネート＝３：２：５の割合で調整した混合溶媒に、１ｍｏｌ／ＬのＬｉＰＦ６を溶解させたものである。
【００３９】
ケース３は、ケース本体３１の開口周縁部３４と、蓋板３２の周縁部とを重ね合わせた状態で接合することによって形成される。また、ケース３では、ケース本体３１と蓋板３２とによって内部空間３３が画定されている。本実施形態のケース３では、ケース本体３１の開口周縁部３４と蓋板３２の周縁部とが溶接によって接合されている。
【００４０】
ケース本体３１は、板状の閉塞部３１１と、閉塞部３１１の周縁に接続される筒状の胴部（周壁）３１２と、を備える。
【００４１】
閉塞部３１１は、ケース本体３１が開口を上に向けた姿勢で配置されたときにケース本体３１の下端に位置する（即ち、前記開口が上を向いたときのケース本体３１の底壁となる）部位である。閉塞部３１１は、該閉塞部３１１の法線方向から見て、矩形状である。
【００４２】
以下では、閉塞部３１１の長辺方向をＸ軸方向とし、閉塞部３１１の短辺方向をＹ軸方向とし、閉塞部３１１の法線方向をＺ軸方向とする。
【００４３】
胴部３１２は、角筒形状であり、より詳しくは、偏平な角筒形状である。胴部３１２は、閉塞部３１１の周縁における長辺から延びる一対の長壁部３１３と、閉塞部３１１の周縁における短辺から延びる一対の短壁部３１４とを有する。即ち、一対の長壁部３１３は、Ｙ軸方向に間隔（詳しくは、閉塞部３１１の周縁における短辺に相当する間隔）を空けて対向し、一対の短壁部３１４は、Ｘ軸方向に間隔（詳しくは、閉塞部３１１の周縁における長辺に相当する間隔）を空けて対向する。短壁部３１４が一対の長壁部３１３の対応（詳しくは、Ｙ軸方向に対向）する端部同士をそれぞれ接続することによって、角筒状の胴部３１２が形成される。
【００４４】
以上のように、ケース本体３１は、開口方向（Ｚ軸方向）における一方の端部が塞がれた角筒形状（即ち、有底角筒形状）を有する。
【００４５】
蓋板３２は、ケース本体３１の開口を塞ぐ板状の部材である。具体的に、蓋板３２は、Ｚ軸方向から見て、ケース本体３１の開口周縁部３４に対応した輪郭形状を有する。即ち、蓋板３２は、Ｚ軸方向から見て、Ｘ軸方向に長い矩形状の板材である。本実施形態の蓋板３２の内面（ケース３の内側を向いた面）３２０には、絶縁層３２１が設けられている。
【００４６】
この蓋板３２には、ケース３の内部と外部とを連通させる一対の貫通穴３２２が設けられる。この一対の貫通穴３２２のそれぞれは、導電性部材４を配置するのに用いられる。具体的に、一対の貫通穴３２２のそれぞれは、蓋板３２のＹ軸方向（幅方向）の中央部において該蓋板３２をＺ軸方向（厚さ方向）に貫通する。そして、一対の貫通穴３２２は、Ｘ軸方向における蓋板３２の両端部に設けられる。即ち、一対の貫通穴３２２は、蓋板３２においてＸ軸方向に間隔を空けて設けられる。本実施形態の貫通穴３２２は、Ｘ軸方向に長い矩形状である。
【００４７】
この蓋板３２は、ケース本体３１の開口を塞ぐように該ケース本体３１に当接する。より具体的には、蓋板３２が開口を塞ぐように、蓋板３２の周縁部がケース本体３１の開口周縁部３４に重ねられる。開口周縁部３４と蓋板３２とが重ねられた状態で、蓋板３２とケース本体３１との境界部が溶接される。これにより、ケース３が構成される。
【００４８】
以上のように構成されるケース３には、巻回中心軸Ｃ方向をＸ軸方向に向けた状態で電極体２が収容される。即ち、一対の長壁部３１３のそれぞれと、蓋板３２と、に周面を向けた状態で、電極体２がケース３に収容される。具体的には、図２に示すように、電極体２は、一対の湾曲部位２０１が蓋板３２及び閉塞部３１１と対向し、且つ、一対の平坦部位２０２が一対の長壁部３１３と対向した状態で、ケース３に収容される。そして、蓋板３２側の湾曲部位２０１の頂部（第二の壁部側の端）２０１１は、Ｘ軸方向における貫通穴３２２が設けられた位置において、蓋板３２の内面３２０の位置（内面位置）である仮想平面３２５と一致し（図２参照）、Ｘ軸方向における貫通穴３２２を避けた位置では、蓋板３２の内面３２０と絶縁層３２１を介して接している。これにより、湾曲部位２０１の周面と、長壁部３１３と蓋板３２とによって構成されるケース３の角部との間に、角部空間３５が形成される。尚、仮想平面３２５は、ケース本体３１の開口側の端縁位置、又は、蓋板３２とケース本体３１との溶接位置、によって規定されてもよい。
【００４９】
一方、閉塞部３１１側の湾曲部位２０１の頂部２０１１は、閉塞部３１１の内面と第二絶縁部材６を介して接している。また、一対の平坦部位２０２のそれぞれは、長壁部３１３の内面と第二絶縁部材６を介して接している。
【００５０】
導電性部材４は、図２〜図４、及び図６にも示すように、ケース３の外部に露出する外部端子部４１と、外部端子部４１から延び且つ電極体２のＸ軸方向の端部（非被覆積層部）２６と接続される集電体部４２と、を有する。本実施形態の導電性部材４において、外部端子部４１と集電体部４２とは、一体である。
【００５１】
外部端子部４１は、他の蓄電素子の外部端子又は外部機器等と電気的に接続される部位である。外部端子部４１は、板状の部位であり、バスバ等が溶接可能な面４１０を有する。本実施形態の外部端子部４１は、Ｘ―Ｙ面（Ｘ軸とＹ軸とを含む面）方向に広がり且つＸ軸方向に長い矩形板状である。
【００５２】
集電体部４２は、外部端子部４１から角部空間３５まで延びる第一部位４２１と、角部空間３５から電極体２の非被覆積層部２６に沿って延びると共に、該非被覆積層部２６に直接又は間接に接続される第二部位４２２と、角部空間３５内に配置され且つ第一部位４２１と第二部位４２２とを接続する第三部位４２３と、を有する。本実施形態の集電体部４２では、第一部位４２１、第二部位４２２、及び第三部位４２３は、一体である。
【００５３】
第一部位４２１は、集電体部４２のＹ軸方向の一方側の端部（図６における左側の長辺）からケース３においてＹ軸方向の他方側に形成されている角部空間３５まで延びている。本実施形態の第一部位４２１は板状である。この第一部位４２１は、図６に示すように、Ｘ軸方向から見て蓋板３２の中心ｃからずれた位置において仮想平面３２５を貫通している。即ち、第一部位４２１と仮想平面３２５との交差位置４２１０は、Ｘ軸方向から見て蓋板３２の中心ｃからずれている。
【００５４】
第二部位４２２は、角部空間３５から電極体２の非被覆積層部２６に沿ってＺ軸方向に延びている。本実施形態の第二部位４２２は板状であり、非被覆積層部２６（詳しくは、非被覆積層部２６を挟み込んでいるクリップ部材４５）と超音波接合によって接合されている。
【００５５】
第三部位４２３は、角部空間３５内をＸ軸方向に延び、第一部位４２１と第二部位４２２とを接続する。本実施形態の第三部位４２３は板状であり、電極体２及びケース３と接しない状態で第一部位４２１から第二部位４２２まで延びている。
【００５６】
以上のように構成される導電性部材４は、蓄電素子１の正極と負極とにそれぞれ配置される。即ち、蓄電素子１は、一対の導電性部材４を備える。一対の導電性部材４のそれぞれは、ケース３内において、電極体２の正極の非被覆積層部２６と負極の非被覆積層部２６とに接続される。正極の導電性部材４と負極の導電性部材４とは、異なる素材によって形成される。具体的に、正極の導電性部材４は、例えば、アルミニウム又はアルミニウム合金によって形成され、負極の導電性部材４は、例えば、銅又は銅合金によって形成される。
【００５７】
第一絶縁部材５は、樹脂製であり、導電性部材４（詳しくは、外部端子部４１及び第一部位４２１）と、蓋板３２において貫通穴３２２を画定する穴周縁部との間を気密状態で塞ぐ。本実施形態の第一絶縁部材５は、インサート成形によって形成され、導電性部材４と一体である。
【００５８】
第一絶縁部材５における電極体２とＺ軸方向において対向する部位（対向面）５１は、仮想平面３２５と一致（図６参照）、若しくは仮想平面３２５より外側（例えば、図９参照）に位置する。
【００５９】
クリップ部材４５は、電極体２の非被覆積層部２６において積層された正極２３又は負極２４を束ねるように挟む。これにより、クリップ部材４５は、非被覆積層部２６において積層される正極２３同士、又は負極２４同士を導通させる。本実施形態のクリップ部材４５は、板状の金属材料を断面がＵ字状となるように曲げ加工することによって形成される。
【００６０】
第二絶縁部材６は、図２及び図３に示すように、ケース３（詳しくはケース本体３１）と電極体２との間に配置される。この第二絶縁部材６は、絶縁性を有する樹脂によって形成されている。本実施形態の第二絶縁部材６は、所定の形状に裁断された絶縁性を有するシート状の部材が折り曲げられることによって袋状に構成されている。
【００６１】
以上の蓄電素子１によれば、集電体部４２（詳しくは、第一部位４２１）の仮想平面３２５との交差位置４２１０をＸ軸方向から見て蓋板３２の中心ｃからずらすことで、電極体２における湾曲部位２０１の仮想平面３２５側の頂部２０１１が仮想平面３２５に一致するように（例えば、図６参照）電極体２がケース３内に配置されても、湾曲部位２０１とケース３の角部（長壁部３１３と蓋板３２とによって構成される角部）との間に生じる隙間（角部空間）３５を通じて、電極体２のＸ軸方向の端部まで集電体部４２を延ばす（配置する）ことができる。このため、蓄電素子１では、より大きな（湾曲部位２０１の頂部２０１１が仮想平面３２５と一致する大きさの）電極体２をケース３内に収容することができる。これにより、ケース３の内部のエネルギー密度を高くすることができる。
【００６２】
本実施形態の蓄電素子１では、第一絶縁部材５が、導電性部材４（詳しくは、外部端子部４１及び第一部位４２１）と、蓋板３２の貫通穴周縁部３２２１との間を塞いでいる。これにより、導電性部材４と蓋板３２との間の絶縁性と、導電性部材４と蓋板３２との間の密閉性とが確保される。
【００６３】
また、本実施形態の蓄電素子１では、第一絶縁部材５の対向面５１（詳しくは、電極体２の頂部２０１１と対向する領域）が、仮想平面３２５と一致（図６参照）、若しくは仮想平面３２５より外側（例えば、図９参照）に位置している。これにより、第一絶縁部材５に邪魔されることなく、湾曲部位２０１の頂部２０１１が仮想平面３２５と一致するように電極体２をケース３内に配置することができる。
【００６４】
また、本実施形態の蓄電素子１では、外部端子部４１と集電体部４２とが一体である。このため、インサート成形等によって導電性部材４と第一絶縁部材５とを一体化させ易く、これにより、部品点数を減らすと共に構成の簡素化を図ることができる。
【００６５】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６６】
上記実施形態の蓄電素子１では、集電体部４２が第一〜第三部位４２１〜４２３を有しているが、この構成に限定されない。集電体部４２は、第一部位４２１と第二部位４２２とを有していればよい。即ち、集電体部４２において、第三部位４２３が無くてもよい。例えば具体的には、図７に示すように、外部端子部４１がＸ軸方向においてより外側に配置される、即ち、外部端子４１をＸ軸方向の外側に配置して第一部位４２１と第二部位４２２とのＸ軸方向のずれをなくすことで、第一部位４２１から第二部位４２２が直接延びる構成でもよい。
【００６７】
また、上記実施形態の蓄電素子１では、貫通穴３２２は、蓋板３２の幅方向の中央部に設けられているが、この構成に限定されない。貫通穴３２２は、図８に示すように、蓋板３２の幅方向の中心ｃに対し、第一部位４２１の該中心に対するずれ方向と同じ方向にずれていてもよい。即ち、貫通穴３２２は、Ｘ軸方向から見て、蓋板３２の中心から、第一部位４２１と仮想平面３２５との交差位置４２１０の側にずれていてもよい。このように蓋板３２において貫通穴３２２を中心から前記交差位置４２１０の側にずらすことで、電極体２の湾曲部位２０１の頂部２０１１を仮想平面３２５に一致させたときに、湾曲部位２０１とケース３の角部との間に生じる角部空間３５に集電体部４２をより案内し易くなる。
【００６８】
上記実施形態の蓄電素子１では、第一絶縁部材５は、集電体部４２の表面を被覆していないが、この構成に限定されない。第一絶縁部材５は、集電体部４２の表面の略全体（詳しくは、第一部位４２１、第二部位４２２（クリップ部材４５との接触部位を除く）、及び第三部位４２３）を被覆していてもよい。かかる構成によれば、電極体２の湾曲部位２０１と集電体部４２との間の絶縁が図られ、これにより、集電体部４２と電極体２との間の電流の通電経路を、集電体部４２と電極体２との接合部位のみに規制することができる。
【００６９】
上記実施形態の蓄電素子１では、蓋板３２は、平板状であるが、この構成に限定されない。例えば、図９に示すように、蓋板３２において、貫通穴周縁部３２２１が、該貫通穴周縁部３２２１の周りの部位より外側（図９における上側）に突出していてもよい。かかる構成によれば、湾曲部位２０１の頂部２０１１が仮想平面３２５と一致するように電極体２がケース３内に配置されても、湾曲部位２０１と外部端子部４１との間隔を確保することができる。このため、湾曲部位２０１（電極体２）と集電体部４２との接触をより確実に防ぐことができる。
【００７０】
また、この場合、導電性部材４において、外部端子部４１と集電体部４２とが別体であってもよい。
【００７１】
また、上記実施形態の蓄電素子１では、集電体部４２は、電極体２の非被覆積層部２６に対し、Ｙ軸方向の一方側において該非被覆積層部２６沿って延びているが、非被覆積層部２６の両側において該非被覆積層部２６に沿って延びていてもよい。
【００７２】
また、導電性部材４において外部端子部４１と集電体部４２とが別体である場合に、図１０に示すように、外部端子部４１１の軸部４１３を角部空間３５と対応する位置にずらすことで、蓋板３２の貫通穴周縁部３２２１を外側に突出させなくても、軸部４１３の先端（かしめられた部位）の電極体２への接触が防がれる。
【００７３】
また、上記実施形態の蓄電素子１では、集電体部４２が仮想平面３２５と交差しているが、この構成に限定されない。図１０に示すように、外部端子（外部端子部）４１１が仮想平面３２５と交差していてもよい。
【００７４】
また、上記実施形態の蓄電素子１では、電極体２の頂部２０１１は、仮想平面３２５と同じ位置（詳しくは、Ｚ軸方向の同じ位置）であるが、この構成に限定されない。例えば、図１１に示すように、電極体２の頂部（蓋板３２側の端）２０１１は、仮想平面３２５より外側（詳しくは、Ｚ軸方向の外側）に位置していてもよい。この場合、蓋板３２が、内面３２０の電極体２の頂部２０１１と対応する位置に、ケース３の外側に向けて凹む凹部（凹面）３７１を有している（含んでいる）。かかる構成によれば、蓋板側の端（頂部）が仮想平面３２５と同じ位置となる大きさの電極体より大きな電極体２がケース３の内部に収容される。このため、ケース３の内部のエネルギー密度がより高くなる。
【００７５】
図１１に示す例では、凹部３７１は、ケース３の外側（図１１に示す例では上側）に向けて凹み且つ電極体２の巻回中心軸方向に延びている。また、図１１に示す蓋板３２は、凹部３７１と表裏の関係にある凸部（凸面）３７２を有する。これにより、ケース３の外部から見た蓋板３２には、凹部３７１と凸部３７２とによって挟まれた部位によって、Ｘ軸方向に延びる凸部が形成されている。
【００７６】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【００７７】
蓄電素子（例えば電池）１は、図１２に示すような蓄電装置（蓄電素子が電池の場合は電池モジュール）１１に用いられてもよい。蓄電装置１１は、少なくとも二つの蓄電素子１と、二つの（異なる）蓄電素子１同士を電気的に接続するバスバ部材１２と、を有する。この場合、本発明の技術が少なくとも一つの蓄電素子１に適用されていればよい。
【符号の説明】
【００７８】
１…蓄電素子、２…電極体、２０１…湾曲部位、２０１１…頂部、２０２…平坦部位、２１…巻芯、２２…積層体、２３…正極（電極）、２３１…金属箔、２３２…正極活物質層、２４…負極（電極）、２４１…金属箔、２４２…負極活物質層、２５…セパレータ、２６…非被覆積層部、３…ケース、３１…ケース本体、３１１…閉塞部、３１２…胴部、３１３…長壁部、３１４…短壁部、３２…蓋板、３２０…内面、３２１…絶縁層、３２２…貫通穴、３２２１…貫通穴周縁部、３２５…仮想平面、３３…内部空間、３４…開口周縁部、３５…角部空間、４…導電性部材、４１、４１１…外部端子部、４１０…面、４１１…外部端子部、４１２…頭部、４１３…軸部、４２、４２０…集電体部、４２１…第一部位、４２１０…第一部位と仮想平面との交差位置、４２２…第二部位、４２３…第三部位、４５…クリップ部材、５…第一絶縁部材、５１…対向面、６…第二絶縁部材、１１…蓄電装置、１２…バスバ部材、Ｃ…巻回中心軸、ｃ…蓋板（第二の壁部）の中心
【図１】
2018045903.tif 000003
【図２】
2018045903.tif 000004
【図３】
2018045903.tif 000005
【図４】
2018045903.tif 000006
【図５】
2018045903.tif 000007
【図６】
2018045903.tif 000008
【図７】
2018045903.tif 000009
【図８】
2018045903.tif 000010
【図９】
2018045903.tif 000011
【図１０】
2018045903.tif 000012
【図１１】
2018045903.tif 000013
【図１２】
2018045903.tif 000014